(57)【要約】      （修正有）【課題】ガラス板の前面側に取付部材が露出せずデザイン性、着脱作業性に優れた薄型ディスプレイ用のガラス板取付構造を提供する。【解決手段】水平板部と上向板部を有する断面略「Ｊ」字状の棒状受アングル２２を、方形フレーム４の上辺と下辺に固定し、棒状受アングル２２の各水平板部に係合可能な下向係合板部を各々有する断面略「Ｌ」字状の棒状係合アングル２５，２６をガラス板６の後面に固定し、上記各水平板部上に上記下向係合板部の位置を規制するための位置規制部材を固定して各水平板部に水平方向のスリットを各々形成する。そしてガラス板６の各下向係合板部を方形フレーム４の各棒状受アングル２２の各スリット内に係合することにより、ガラス板６を方形フレーム４に固定し得るように構成し、ガラス板６の固定状態において、各位置規制部材が両下向係合板部の前後方向の動きを規制し得るように構成する。【選択図】図１
2014153489.tif 000002
【特許請求の範囲】
【請求項１】
薄型ディスプレイユニットを支持する方形フレームの前面側に、上記方形フレームより面積の大きなガラス板を取り付けるための薄型ディスプレイ用のガラス板取付構造であって、
水平板部とそれに続く上向板部を有する断面略「Ｊ」字状の棒状受アングルを、上記方形フレームの上辺と下辺に、上記各上向板部が前方向きで各々水平に固定し、
上記両棒状受アングルの上記各水平板部に係合可能な下向係合板部を各々有する断面略「Ｌ」字状の棒状係合アングルを、上記ガラス板の後面において、上記両棒状受アングルに対応する上方位置と下方位置に、上記ガラス板周縁より内側のエリアにおいて各々水平に固定し、
上記各水平板部上に上記下向係合板部の位置を規制するための位置規制部材を各々固定し、上記各水平板部に上記下向係合板部が係合可能な水平方向のスリットを各々形成し、
上記各下向係合板部を上記方形フレームの上記各棒状受アングルの上記各スリット内に係合することにより、上記ガラス板を上記方形フレームに固定し得るように構成し、
上記ガラス板の上記固定状態において上記各位置規制部材が上記両下向係合板部の前後方向の動きを規制し得るように構成したものであることを特徴とする薄型ディスプレイ用のガラス板取付構造。
【請求項２】
上記上下の棒状係合アングルは、水平板部と該水平板部の後縁から下方に折り曲げられた上記下向係合板部とを有し、
上記下向係合板部は、上記水平板部に直交する垂直線に対して、上記水平板部の後縁から後方側に若干傾斜した後方傾斜状態とし、
上記後方傾斜状態の上記各下向係合板部を上記スリット内に挿入することにより、上記ガラス板の位置決めを行うように構成したものであることを特徴とする請求項１記載の薄型ディスプレイのガラス板取付構造。
【請求項３】
上記方形フレームの上記上辺と上記下辺に各々上向き及び下向きに高さ調整脚を取り付け、上記方形フレームをこれら高さ調整脚によって取り付け位置の上面と下面に突っ張り状態で立設固定可能とし、
上記ガラス板の上記方形フレームへの固定状態において、上記ガラス板の後面周囲が、上記取り付け位置の上記上面及び上記下面に連続する前側の前面に密着するように構成したものであることを特徴とする請求項１又は２記載の薄型ディスプレイ用のガラス板取付構造。
【請求項４】
上記ガラス板の後面周囲が密着する上記前面にクッション材を固定したものであることを特徴とする請求項３記載の薄型ディスプレイ用のガラス板取付構造。
【発明の詳細な説明】
【技術分野】
【０００１】
本発明は、液晶テレビ等の薄型ディスプレイの前面側に設置されるガラス板の取り付けに関するものであり、デザイン性、取り付け作業性等に優れた薄型ディスプレイ用のガラス板の取付構造を提供するものである。
【背景技術】
【０００２】
従来、薄型ディスプレイを壁面に設置し、そのディスプレイ前面側に鏡（ハーフミラー）を設置することで、通常は鏡として機能させると共に、ディスプレイに映像を表示した場合は、ハーフミラーの前面側から上記映像を確認し得るように構成したディスプレイ装置が実用化されている。
【０００３】
かかる装置において、鏡の取り付けは、鏡の前面側から該鏡を貫通して壁面に螺合されるボルトにより、当該鏡をディスプレイ前面側に固定するもの（特許文献１）、鏡の上下の辺を壁面に設けた上下の支持レールに嵌合させて固定するもの（特許文献２）、或いは、壁面側に前後方向に調整可能なフックを複数個所に設け、鏡の裏面側には上記各フックに対応する複数の溝部材を設け、各溝部材の溝に対応するフックを対応する溝部材に係合させることにより、上記鏡をディスプレイ前面側に固定するもの（特許文献３）、等が提案されている。
【先行技術文献】
【特許文献】
【０００４】
【特許文献１】特開２００６−５０２０３
【特許文献２】特開２００６−８６６４３
【特許文献３】特開２０１１−７１９７２
【発明の概要】
【発明が解決しようとする課題】
【０００５】
ところで、この種のディスプレイ装置は、その設置場所（例えばホテルのロビー或いは住宅のリビングルーム等）の性質上、鏡の前面側に何ら取り付け部材が露出しないような高いデザイン性が要求される。
【０００６】
かかる観点からすると、特許文献１のものは、鏡の前面側四隅にボルトの頭部（４本）が露出し、上記特許文献２のものは、鏡の上下辺、左右辺に鏡の支持部材（支持フレーム等）が鏡の前面側に露出するため、何れもこの種の装置としてのデザイン性に課題がある。
【０００７】
これに対し、特許文献３のものは、鏡の前面側に取り付け部材が露出しないという高いデザイン性を有しているが、壁面側の複数個所のフックと鏡側の複数個所の溝部材とを対応付けて係合する作業が必要とされるため、鏡の壁面への取り付け作業が複雑であり、取り付け作業に比較的長時間を要するという課題がある。
【０００８】
本発明は上記従来の課題に鑑みてなされたものであり、上記ガラス板の前面側に何ら取付部材やフレームが露出せずデザイン性に優れていると共に、ガラス板の取り付け作業性、取り外し作業性に優れた薄型ディスプレイ用のガラス板取付構造を提供することを目的とする。
【課題を解決するための手段】
【０００９】
上記の目的を達成するため本発明は、
第１に、薄型ディスプレイユニットを支持する方形フレームの前面側に、上記方形フレームより面積の大きなガラス板を取り付けるための薄型ディスプレイ用のガラス板取付構造であって、水平板部とそれに続く上向板部を有する断面略「Ｊ」字状の棒状受アングルを、上記方形フレームの上辺と下辺に、上記各上向板部が前方向きで各々水平に固定し、上記両棒状受アングルの上記各水平板部に係合可能な下向係合板部を各々有する断面略「Ｌ」字状の棒状係合アングルを、上記ガラス板の後面において、上記両棒状受アングルに対応する上方位置と下方位置に、上記ガラス板周縁より内側のエリアにおいて各々水平に固定し、上記各水平板部上に上記下向係合板部の位置を規制するための位置規制部材を各々固定し、上記各水平板部に上記下向係合板部が係合可能な水平方向のスリットを各々形成し、上記各下向係合板部を上記方形フレームの上記各棒状受アングルの上記各スリット内に係合することにより、上記ガラス板を上記方形フレームに固定し得るように構成し、上記ガラス板の上記固定状態において上記各位置規制部材が上記両下向係合板部の前後方向の動きを規制し得るように構成したものであることを特徴とする薄型ディスプレイ用のガラス板取付構造により構成される。
【００１０】
上記位置規制部材は、例えば上記棒受アングル（２２）の水平板部（２２ｂ）上に固定される棒状部材（２３）により構成することができる。このように構成すると、ガラス板の前面側に何ら取付部材やフレームが露出しないのでデザイン性に優れていると共に、ガラス板後面の棒状係合アングルの下向係合板部を、方形フレームの棒状受アングルのスリットに係合するだけで、ガラス板を方形フレームに前後方向の位置規制状態で取り付けでき、ガラス板の方形フレームへの取り付け作業性、取り外し作業性を向上させることができる。
【００１１】
第２に、上記上下の棒状係合アングルは、水平板部と該水平板部の後縁から下方に折り曲げられた上記下向係合板部とを有し、上記下向係合板部は、上記水平板部に直交する垂直線に対して、上記水平板部の後縁から後方側に若干傾斜した後方傾斜状態とし、上記後方傾斜状態の上記各下向係合板部を上記スリット内に挿入することにより、上記ガラス板の位置決めを行うように構成したものであることを特徴とする上記第１記載の薄型ディスプレイのガラス板取付構造により構成される。
【００１２】
このように構成すると、上記下向係合板部が後方に傾斜した状態でスリット内に係合挿入されるため（図１１参照）、上記スリット内において上記下向係合板部のガタツキを抑制することができ、ガラス板の前後のガタツキを抑制した状態で確実にガラス板を方形フレームに固定することができる。
【００１３】
第３に、上記方形フレームの上記上辺と上記下辺に各々上向き及び下向きに高さ調整脚を取り付け、上記方形フレームをこれら高さ調整脚によって取り付け位置の上面と下面に突っ張り状態で立設固定可能とし、上記ガラス板の上記方形フレームへの固定状態において、上記ガラス板の後面周囲が、上記取り付け位置の上記上面及び上記下面に連続する前側の前面に密着するように構成したものであることを特徴とする上記第１又は２記載の薄型ディスプレイ用のガラス板取付構造により構成される。
【００１４】
上記取り付け位置は、例えば方形枠（１）又は方形フレームを取り付けるための壁面内の取り付け位置をいう。取り付け位置の上面と下面とは、例えば方形枠（１）の上面（２）と下面（３）或いは取り付け位置が壁面内であれば、当該壁面内に形成された上面と下面をいう。このように構成すると、簡易な取り付け作業によって、ガラス板の後面周囲を取り付け位置の前面に密着した状態で見栄えよくガラス板を取り付け位置に取り付けることができる。また、高さ調整脚によって、取り付け位置における方形フレームの前後方向の取り付け位置も自由に調整することができる。
【００１５】
第４に、上記ガラス板の後面周囲が密着する上記前面にクッション材を固定したものであることを特徴とする上記第３記載の薄型ディスプレイ用のガラス板取付構造により構成される。
【００１６】
このように構成すると、ガラス板の後面周囲をクッション材に圧接した状態でのガラス板の取り付けを簡易な取り付け作業により行うことができる。
【発明の効果】
【００１７】
本発明は上述のように構成したので、ガラス板の前面側に何ら取付部材やフレーム等が露出しないのでデザイン性に優れていると共に、簡易な取り付け作業によりガラス板を方形フレームに取り付けることが可能であり、ガラス板の方形フレームへの取り付け作業性、取り外し作業性を向上させることができる。
【００１８】
また、ガラス板の前後のガタツキを抑制した状態で、確実にガラス板を方形フレームに固定することができる。
【００１９】
また、簡易な取り付け作業によって、ガラス板の後面周囲を取り付け位置の前面に密着した状態で見栄えよくガラス板を取り付け位置に取り付けることができ、高さ調整脚によって、取り付け位置における方形フレームの前後方向の取り付け位置も自由に調整することができるので、各種の取り付け場所に対応し得る取り付け構造を提供し得る。
【００２０】
また、ガラス板の後面周囲をクッション材に圧接した状態でのガラス板の取り付けを簡易な取り付け作業により行うことができる。
【図面の簡単な説明】
【００２１】
【図１】本発明に係る薄型ディスプレイ用のガラス板の取付構造の第１の実施形態の分解斜視図である。
【図２】（ａ）は同上構造の方形枠の正面図、（ｂ）は（ａ）のＸ１−Ｘ１線断面図である。
【図３】同上構造の分解側面断面図である。
【図４】（ａ）は同上構造の図４（ｂ）のＸ２−Ｘ２線断面図、（ｂ）は同上構造のガラス板の背面図である。
【図５】（ｓ）は同上構造の棒状係合アングルの一部省略斜視図、（ｂ）は同上構造の棒状受アングルの一部省略斜視図である。
【図６】同上構造のガラス板を方形枠に取り付ける状態を示す一部省略縦断面図である。
【図７】同上構造のガラス板を方形枠に取り付ける状態を示す一部省略縦断面図である。
【図８】同上構造のガラス板を方形枠に取り付けた状態を示す一部省略縦断面図である。
【図９】本発明の薄型ディスプレイ用のガラス板の取付構造の第２の実施形態を示す図であり、同上構造のガラス板を方形枠に取り付ける状態を示す一部省略縦断面図である。
【図１０】同上第２の実施形態における同上構造のガラス板を方形枠に取り付けた状態を示す一部省略縦断面図である。
【図１１】（ａ）は上記第２の実施形態の棒状係合アングルの拡大側面断面図、（ｂ）は当該棒状係合アングルを棒状受アングルに嵌合した状態を示す拡大側面断面図である。
【発明を実施するための形態】
【００２２】
以下、本発明に係る薄型ディスプレイ用のガラス板取付構造について詳細に説明する。
【００２３】
図１は本発明に係る第１の実施形態の取付構造を使用した薄型ディスプレイ装置の分解斜視図、図２（ａ）は同上ディスプレイ装置の正面図、同図（ｂ）は同上ディスプレイ装置の側面断面図を示す。尚、以下の説明において、方形フレーム４を中心として、ガラス板６側を前方、反対方向を後方といい、左右の方向は、図１においてガラス板６から方形フレーム４側を向いた場合の左右方向を用いることとする。
【００２４】
本発明に係る薄型ディスプレイ装置は、方形枠１の上面２と下面３に方形フレーム４を突っ張り状態で固定し、この方形フレーム４の後面の黒色遮蔽ボード１３に薄型ディスプレイユニット５を固定し、かつ上記薄型ディスプレイユニット５の表示画面の前面側にハーフミラーにより構成されたガラス板６を固定することにより構成されている（図１〜図３参照）。尚、上記方形枠１はこれ自体をオフィスビルのロビー或いは住宅のリビングルーム内の壁面等に埋め込み固定する。
【００２５】
また、上記方形枠１を取り付け位置の壁面に設けた凹部に埋め込んで、当該方形枠１に方形フレーム４を固定する場合に限らず、方形枠１を用いずに、取り付け位置の壁面に設けた凹部に上面２と下面３を設けて、上記凹部内の上面２と下面３間に上記方形フレーム４を固定する場合等、各種のパターンが考えられる。よって、ガラス板６の後面が接触する前面１’は、方形枠１を使用した場合は方形枠１の前面１’であるが、方形枠１を使用しない場合は、上面２及び下面３に連続する前側の前面１’（取り付け位置の壁面）となる。
【００２６】
上記方形フレーム４は、断面略正方形状の４本の直線状アルミフレーム杆を長方形状に組み立て固定することにより構成されており（図２（ａ）参照）、上記フレーム杆は両端部中央に雌螺子孔２０が形成されている。
【００２７】
この方形フレーム４の上辺４ａの左右位置の上記雌螺子孔２０に突っ張り用の高さ調整脚８，８がその円錐形脚部８ａ，８ａを上向きにした状態で雄螺子部８ｂ，８ｂを以って螺合されており（図２，３参照）、下辺４ｂの左右位置の上記雌螺子孔２０に下向きに突っ張り用の高さ調整脚８，８がその円錐形脚部８ａ，８ａを下向きにした状態で雄螺子部８ｂ，８ｂを以って螺合されている（図１、図２）。
【００２８】
上記上面２と下面３の設置位置には、上記高さ調整脚８の脚部８ａを受ける固定板９，９が面ファスナー又は螺子Ｎ’等により各々固定されており（図２（ａ）（ｂ）参照）、上記上下辺側の高さ調整脚８，８の脚部８ａ，８ａを、各々上面２及び下面３の固定板９，９に各々接触させ、上記各高さ調整脚８の雄螺子部８ｂを回転させることにより、上記上辺側の脚部８ａ，８ａを上方に移行させ、同じく下辺側の脚部８ａ，８ａの雄螺子部８ｂを回転させることにより、上記下辺側の脚部８ａ，８ａを下方に移行させ、これにより上記４つの高さ調整脚８の脚部８ａによって上記方形フレーム４を上記上面２と下面３の間に突っ張り状態で垂直に立設固定する（図２、図３参照）。
【００２９】
上記方形フレーム４の後面には、薄型ディスプレイユニット５を固定するための黒色遮蔽ボード１３が固定されている。この遮蔽ボード１３は上記方形フレーム４の外周縁により形成される面積と同じ面積を有しており、上記方形フレーム４により構成される後方開口部を遮蔽するものである。上記薄型ディスプレイユニット５は例えば液晶ディスプレイ等の薄型の表示装置であり、図示しない固定フック等により上記方形フレーム４に平行に、上記遮蔽ボード１３略中央に垂直状態で固定されている（図１、図２（ａ）（ｂ））。尚、上記ディスプレイユニット５に映像等を表示するための映像表示回路基板は上記遮蔽ボード１３の後面側に取り付けられている。
【００３０】
上記方形フレーム４の上記上辺４ａの前面側、及び上記方形フレームの下辺４ｂの前面側には、断面略「Ｊ」字状の棒状受アングル２２が各々固定されている。この棒状受アングル２２の構成は、上辺４ａに固定されるものと、下辺４ｂに固定されるものは同一であるので、両者を同時に説明する。
【００３１】
この棒状受アングル２２は、図２（ａ）、図３、図５、図６に示すように、左右方向（水平方向）の長さは、上記方形フレーム４の上記上辺４ａ（又は下辺４ｂ）と同一長さであり、上下幅が上記上辺４ａ（又は下辺４ｂ）と同一幅の板状の垂直板部２２ａと、当該垂直板部２２ａの下縁から当該垂直板部２２ａの全長に亘り、当該垂直板部２２ａに対して直角に前方に突出する水平板部２２ｂと、当該水平板部２２ｂの前縁から当該水平板部２２ｂの全長に亘り上方に垂直に立ち上がる上向板部２２ｃとから構成されている。
【００３２】
上記上向板部２２ｃの起立高さは、上記垂直板部２２ａの高さより低く、上記垂直板部２２ａの中間位置よりも若干低い位置となるように構成されている。従って、当該棒状受アングル２２の断面形状は、水平面から構成される上記水平板部２２ｂを有する全体として略「Ｊ」字状に構成されている。
【００３３】
このＪ型の棒状受アングル２２は、図３に示すように、上記上向板部２２ｃを前方向きで、上記方形フレーム４の上記上辺４ａ（及び下辺４ｂ）の前面側に、上記垂直板部２２ａの後面を宛がい、当該垂直板部２２ａの３か所（図２（ａ）参照）を皿螺子Ｂにて上記上辺４ａ（及び下辺４ｂ）に固定することにより、上記方形フレーム４の上辺４ａ及び下辺４ｂに沿って水平に固定される（図３参照）。
【００３４】
さらに、位置規制用の断面方形の棒状部材２３を、上記棒状受アングル２２の上記水平板部２２ｂ上に固定する。この棒状部材２３の左右方向の長さは上記棒状受アングル２２の長さと同一であり、その固定位置は、図３、図６に示すように、当該棒状部材２３の前面２３ａが上記棒状受アングル２２の上記上向板部２２ｃの後面側に接触した状態で上記水平板部２２ｂ上に載置固定されており、その結果、当該棒状部材２３の後面２３ｂと上記垂直板部２２ａの前面には、前後幅ｔ１の水平方向のスリット１８が当該棒状受アングル２２の左右方向の全長に亘り形成されている（図５参照）。尚、上記棒状部材２３は、木材又は樹脂を使用することが好ましい。
【００３５】
上記ガラス板６は、上記方形フレーム４より面積が大きく、上記方形フレーム４の前面側略全体を被覆可能な面積（本実施形態では方形フレーム４の外周縁により形成される面積より大きな方形枠１の前面１’の面積と略同じ面積）を有している。また、このガラス板６は全体がハーフミラーにより構成されている。よって、このガラス板６を上記方形フレーム４に取り付けることにより、前面側から見ると、通常はガラス板６全面が鏡として機能し、上記薄型ディスプレイユニット５を動作状態としてそのディスプレイユニット５に映像を写すと、上記ハーフミラーを介して上記ガラス板６前面側から上記映像を見ることができるようになっている。
【００３６】
また、このガラス板６は、上記方形枠１に取り付けた状態において、上記ガラス板６の後面側において、上記ディスプレイ５に対応する領域以外の領域に遮光フィルムを貼着することにより、上記ディスプレイユニット５の表示画面に映像を表示していない状態において、上記ガラス板６を通して方形枠１の内部が目視できないように構成し、上記ディスプレイ５をオン状態として当該ディスプレイに映像を映したときのみ、当該映像を上記ハーフミラー領域を介して上記ガラス板６の前方にて見ることができるように構成することができる。
【００３７】
図３、図４に示すように、上記ガラス板６（例えば厚さ４ｍｍ）の後面には、ガラス板の後面周縁に沿って、上記ガラス板６の外周に沿った長方形枠状のガラスフレーム１７が固着されている（図４参照）。このガラスフレーム１７はアルミニウム製であり、両端に傾斜接続部Ｊを有する上下辺用のフレーム杆１７ａ，１７ｂと、両端に傾斜接続部Ｊを有する左右辺用のフレーム枠１７ｃ，１７ｄとを各接続部Ｊを以って長方形状に接続した構造を有している。このガラスフレーム１７はその外周縁に直立枠部１７”が直角に形成されており、当該直立枠部１７”内に上記ガラス板６が上記ガラスフレーム１７前面に接着された構造を有している。またこのガラスフレーム１７は非常に薄く形成されているため（例えば厚さが７ｍｍ）、各コーナ部にはスチール製のＬ型補強材１７ｅが接着されている。このような構造のガラスフレーム１７を採用することにより、本発明のガラス板６はそのガラスフレーム１７を含めても厚さが７ｍｍ程度と非常に薄く形成されている。
【００３８】
上記ガラス板６の後面における上記ガラスフレーム１７の上辺１７ａと下片１７ｂとの間における左右端部には、上下方向に補強縦杆２４，２４が上辺１７ａと下片１７ｂとを接続するように固定されている。これらの補強縦杆２４，２４は上記上下のＬ型補強材１７ｅ，１７ｅ間に嵌合する長さを有しており、その前面側が上記ガラス板６の裏面側に接着剤をもって接着される。
【００３９】
また、図４に示すように、上記補強縦杆２４，２４の上部側の上下２箇所に後述の上部側の断面略「Ｌ」字型の棒状係合アングル２５を固定するための螺子挿通用の貫通孔２７，２７が貫通形成されていると共に（図６参照）、同補強縦杆２４，２４の下部側の上下２箇所に後述の下部側の断面略「Ｌ」字型の棒状係合アングル２６を固定するための螺子挿通用の貫通孔２８，２８が貫通形成されている（図６参照）。
【００４０】
これらの貫通孔２７，２８には、皿螺子Ｂが前面側から挿通されるため、これらの貫通孔は皿螺子Ｂの頭に対応する座ぐり孔となっており、皿螺子Ｂを挿通した場合、皿螺子Ｂの頭が貫通孔２７，２８に嵌合し、上記補強縦杆２４，２４の前面側に面一となるように構成されている（図６参照）。
【００４１】
上記ガラス板６の裏面側における上記上方の左右のＬ型補強材１７ｅ，１７ｅ間、及び上記下方の左右のＬ型補強材１７ｅ，１７ｅ間に、各々断面略「Ｌ」字型の上記棒状係合アングル２５，２６が固定されている（図４（ａ）参照）。これら棒状係合アングル２５，２６は、ガラス板６の後面におけるガラス板周縁より内側のエリアに各々水平に固定されている。
【００４２】
上記上方の棒状係合アングル２５は、左右方向は、上記上方のＬ型補強材１７ｅ，１７ｅの垂直片の内縁１７ｅ’，１７ｅ’間の長さＴ１を有する垂直板部２５ａと（図４、図５、図６参照）、該垂直板部２５ａの下縁の全長に亘り、上記垂直板部２５ａに直交するように後方に水平に突出形成された水平板部２５ｂと、該水平板部２５ｂの後縁の全長に亘り、上記水平板部２５ｂに直交するように垂直下方に設けられた下向係合板部２５ｃにより構成されている。また、上記垂直板部２５ａの両端部には取り付け用の貫通孔２９，２９が縦方向に貫通形成されている（図６参照）。
【００４３】
そして、この上方の棒状係合アングル２５は、上記一対の補強縦杆２４，２４の上端位置に水平方向に宛がい、その上縁を上記両補強縦杆２４，２４の上縁に一致させた状態で、上記両補強縦間２４，２４の前面側から皿螺子Ｂ，Ｂを上記貫通孔２７，２７及び貫通孔２９，２９に挿通し、上記棒状係合アングル２５の後方において上記皿螺子Ｂ，ＢにナットＮを螺合することにより、上記補強縦杆２４，２４に固定されている（図４、図６参照）。
【００４４】
上記下方の棒状係合アングル２６は、左右方向は、上記下方のＬ型補強材１７ｅ，１７ｅの垂直片の内縁１７ｅ’，１７ｅ’間の長さＴ１を有する垂直板部２６ａと（図４、図５、図６参照）、該垂直板部２６ａの上縁の全長に亘り、上記垂直板部２６ａに直交するように後方に水平に突出形成された水平板部２６ｂと、該水平板部２６ｂの後縁の全長に亘り、上記水平板部２６ｂに直交するように垂直下方に設けられた下向係合板部２６ｃにより構成されている。また、上記垂直板部２６ａの両端部には取り付け用の貫通孔３０，３０が縦方向に貫通形成されている（図６参照）。
【００４５】
そして、この下方の棒状係合アングル２６は、上記一対の補強縦杆２４，２４の下端位置に水平方向に宛がい、その下縁を上記両補強縦杆２４，２４の下縁に一致させた状態で、上記両補強縦杆２４，２４の前面側から皿螺子Ｂ，Ｂを上記貫通孔２８，２８及び貫通孔３０，３０に挿通し、上記棒状係合アングル２６の後方において上記皿螺子Ｂ，ＢにナットＮを螺合することにより、上記補強縦杆２４，２４に固定されている（図４、図６参照）。
【００４６】
このように上記補強縦杆２４，２４と上記上下の棒状係合アングル２５，２６により構成された略「井」型の構成部材は、上記補強縦杆２４，２４の前面側に接着剤を塗布し、上記ガラス板６の後面側（裏面側）における上記ガラスフレーム１７の枠内に嵌合し、上記補強縦杆２４，２４の前面側を上記ガラス板６の後面に接着固定する（図４（ａ）（ｂ）参照）。
【００４７】
これにより、上記上方の棒状係合アングル２５は、その左右は、上記上方の左右のＬ型補強材１７ｅ，１７ｅの内縁１７ｅ’，１７ｅ’に接触し、その上縁は上記上方の左右のＬ型補強材１７ｅ，１７ｅの下縁１７ｅ”，１７ｅ”に接触した状態で固定され、上記下方の棒状係合アングル２６は、その左右は、上記下方の左右のＬ型補強材１７ｅ，１７ｅの内縁１７ｅ’，１７ｅ’に接触し、その下縁は上記下方の左右のＬ型補強材１７ｅ，１７ｅの上縁１７ｅ”，１７ｅ”に接触した状態で固定される（図４（ｂ）参照）。
【００４８】
この上下の棒状係合アングル２５，２６は、図８に示すように、上側及び下側の上記下向係合板部２５ｃ，２６ｃを、上側及び下側の上記棒状受アングル２２，２２の上記スリット１８，１８に挿通し、その下端２５ｃ’，２６ｃ’を上記棒状受アングル２２，２２の水平板部２２ｂ，２２ｂに各々当接することで、上記ガラス板６を上記方形枠１の前面１’に固定し得るように構成している。
【００４９】
そして、上記上下の棒状係合アングル２５，２６の上記水平板部２５ｂ，２６ｂの突出幅Ｔ２（図６参照）は、図８に示すように、上記垂直係合板部２５ｃ，２６ｃを上記棒状受アングル２２，２２の上記スリット１８，１８に嵌合したとき、上記ガラス板６の上記アルミフレーム１７の後面１７’が、上記方形枠１の前面１’又は該前面１’に設けられたクッション材１９に密接するような長さに構成されている。尚、上記クッション材１９は、上記ガラス板６の後面周囲に当接するように、上記方形枠１の前面１’に方形状に固定されている（図２（ａ）参照）。
【００５０】
また、上記下向係合板部２５ｃ，２６ｃの縦方向の長さＴ３は（図６参照）、図８に示すように、上記下向係合板部２５ｃ，２６ｃを上記棒状受アングル２２，２２のスリット１８，１８に嵌合して上記下端２５ｃ’，２６ｃ’が接触したとき、上記ガラス板６の上記アルミフレーム１７の下端が、上記方形枠１の前面１’の下端１”の位置に一致するような長さに構成されている。
【００５１】
本発明は上述のように構成されているので、次に、上記本発明に係る薄型ディスプレイ用のガラス板取付構造を使用したガラス板の取付方法を説明する。
【００５２】
尚、図２に示すように、方形枠１内に薄型ディスプレイユニット５が固定された方形フレーム４が突っ張り状態で垂直に支持されているものとする。このとき、棒状受アングル２２の垂直板部２２ａから方形枠１の前面１’までの距離が上記距離Ｔ２に一致するように当該方形フレーム４を方形枠１内において位置決めする（図６参照）。
【００５３】
その後、ガラス板６を上記方形枠１の前面１’側に宛がい（図６参照）、図７に示すように、ガラス板６の上下の棒状係合アングル２５，２６の各々の下向係合板部２５ｃ，２６ｃの各々の後面が、上記方形フレーム４の上下の棒状受アングル２２，２２の垂直板部２２ａ，２２ａに当接する位置（図７の位置）で、当該ガラス板６を上記方形フレーム４に近づけて行き、上記各下向係合板部２５ｃ，２６ｃの後面を各々上記棒状受アングル２２，２２の垂直板部２２ａ，２２ａの前面に当接する（図７の状態）。
【００５４】
このとき、上記垂直板部２２ａ，２２ａから方形枠１の前面１’までの距離がＴ２となっているので、上記ガラス板６の下向係合板部２５ｃ，２６ｃを上記垂直板部２２ａ，２２ａの前面に当接した状態において、上記ガラスフレーム１７の後面１７’が、上記方形枠１の前面１’のクッション材１９に当接し得る状態となる（図７の状態）。
【００５５】
その後、上記ガラス板６を上記方形枠１の前面１’に沿って下方にスライドさせて行き、上記下向係合板部２５ｃ，２６ｃをスリット１８，１８内に嵌合挿入し、各々の下端２５ｃ’，２６ｃ’が上記棒状係合アングル２２，２２の水平板部２２ｂ，２２ｂの上面に接触するまで、当該ガラス板６を下降させることにより、上記ガラス板６を上記方形枠１の前面に固定することができる（図８参照）。
【００５６】
このとき、ガラス板６のガラスフレーム１７の下縁は上記方形枠１の下縁１”に一致し、かかる状態で、ガラス板６の後面１７’周囲を上記方形枠１の前面１’のクッション材１９に密着させた状態で、当該ガラス板６を上記方形枠１に固定することができる。
【００５７】
このとき、上記棒状係合アングル２５，２６の下向係合板部２５ｃ，２６ｃは、各々棒状部材２３，２３と上記垂直板部２２ａ，２２ａによって形成されたスリット１８，１８内に嵌合しているので、上記棒状部材２３，２３によって前後方向のガタツキが押えられ、上記ガラス板６を確実に固定することができる。
【００５８】
また、上記ガラス板６と上記方形フレーム４は、互いに平行な水平方向の棒状受アングル２２，２２と、棒状係合アングル２５，２６の係合により接合されているので、方形枠１に対するガラス板６の水平方向の位置の調整を容易に行うことができる。
【００５９】
また、ガラス板６の前方側には、何らガラスの取り付け部材が露出することがないので、極めてデザイン性の高い薄型ディスプレイ用のガラス板取付構造を実現することができる。
【００６０】
また、上記ガラス板６と上記方形フレーム４は、互いに平行な水平方向の棒状受アングル２２，２２と、棒状係合アングル２５，２６の係合により接合されているので、方形フレーム４側の上下の棒状受アングル２２，２２上にガラス板６側の棒状係合アングル２５，２６を係合する、という簡単な操作で、ガラス板６を方形フレーム４に固定することができ、例えば小型のガラス板は勿論、非常に大型のガラス板であっても、当該ガラス板を壁面に固定するような作業を少人数で比較的簡易に行うことができる。
【００６１】
図９に示すものは、本発明に係るディスプレイ用のガラス板取付構造の第２の実施形態を示すものである。この実施形態のものは、上記ガラス板６の上下の棒状係合アングル２５，２６の下向係合板部２５ｃ，２６ｃを、各々の水平板部２５ｂ，２６ｂに対して直角に折り曲げるのではなく、上記水平板部２５ｂ，２６ｂの直交する垂直線Ｌ（例えば鉛直線Ｌ）（図１１（ａ）参照）に対してθ＝２度〜３度程度後方側に傾斜させたものである。
【００６２】
即ち、上記上下の棒状係合アングル２５，２６は、水平板部２５ｂ，２６ｂと該水平板部２５ｂ，２６ｂの後縁から下方に折り曲げられた下向係合板部２５ｃ，２６ｃとを有し、上記下向係合板部２５ｃ，２６ｃは、上記水平板部２５ｂ，２６ｂに直交する鉛直線Ｌに対して、上記水平板部２５ｂ，２６ｂの後縁から後方側に若干傾斜した後方傾斜状態とし、上記後方傾斜状態の上記各下向係合板部２５ｃ，２６ｃを上記スリット１８，１８内に挿入することにより、上記ガラス板６の位置決めを行うように構成する。
【００６３】
尚、この第２の実施形態のものは、基本的構成は上記第１の実施形態と同様であるため、上記第１の実施形態と同一部分又は対応部分には第１の実施形態と同一符号を付し、それらの説明は省略する。
【００６４】
このように構成すると、当該ガラス板６の棒状係合アングル２５，２６の上記下向係合板部２５ｃ，２６ｃを上記方形フレーム４の上下の棒状係合アングル２２，２２の上記スリット１８，１８に係合挿入すると、図１０、図１１（ｂ）に示すように、上記下向係合板部２５ｃ，２６ｃの下端２５ｃ’，２６ｃ’の後側Ｐ１及び／又は上記下向係合板部２５ｃ，２６ｃの前面側の水平板部近傍の基部Ｐ２が、上記スリット１８内において、当該スリット１８内の前面（棒状部材２３後面）及び／又は後面（垂直板部２２ａ前面）に当接することで、当該下向係合板部２５ｃ，２６ｃが上記スリット１８，１８内において位置決め固定される。そして、上記両下向係合板部２５ｃ，２６ｃを上記スリット１８，１８に係合した位置決め固定状態において、図１０、図１１（ｂ）に示すように、上記ガラス板６のガラスフレーム１７後面１７’が上記方形枠１の前面１’（又はクッション材１９）に密着するように構成する。
【００６５】
このようにすると、上記ガラス板６の前後方向のガタツキをより確実に抑制して、ガラス板６を上記方形枠１に確実に固定することができる。
【００６６】
また、この第２の実施形態によると、上記下向係合板部２５ｃ，２６ｃと上記スリット１８内の上記棒状部材２３との係合位置は、上記下向係合板部２５ｃ，２６ｃの下端２５ｃ’，２６ｃ’の位置より、より前方側の上記基部Ｐ２寄りの位置となるので、上記下向係合板部２５ｃ，２６ｃを上記スリット１８，１８に挿入していく過程において、上記ガラス板６は上記方形枠１の方向（後方側）に引き込まれていくことになるため、より確実にガラス板６の後面のガラスフレーム１７を上記クッション材１９又は前面１’に圧着することができる。
【００６７】
本発明は以上のように、ガラス板６の前面側に何ら取付部材やフレーム等が露出しないのでデザイン性に優れていると共に、簡易な取り付け作業によりガラス板６を方形フレーム４に取り付けることが可能であり、ガラス板６の方形フレーム４への取り付け作業を向上させることができる。
【００６８】
また、ガラス板６の前後のガタツキを抑制した状態で、確実にガラス板６を方形フレーム４に固定することができる。
【００６９】
また、簡易な取り付け作業によって、ガラス板６の後面周囲を取り付け位置の前面１’に密着した状態で見栄えよくガラス板６を取り付けることができ、高さ調整脚８によって、取り付け位置における方形フレーム４の前後方向の取り付け位置も自由に調整することができるので、各種の取り付け場所に対応し得る薄型ディスプレイ用のガラス板取付構造を提供し得る。
【００７０】
また、ガラス板６の後面周囲をクッション材１９に圧接した状態でのガラス板６の取り付けを簡易な取り付け作業により行うことができる。
【産業上の利用可能性】
【００７１】
本発明に係る薄型ディスプレイ用のガラス板取付構造は、デザイン性及び取り付け作業性、取り外し作業性に優れているため、商業ビル、オフィスビル、駅構内のロビー等の公共的な施設の大型ディスプレイ用として、或は家庭のリビングルーム、浴室、洗面台等の小型ディスプレイ用として、広く適用が可能である。
【符号の説明】
【００７２】
１              方形枠
１’            前面
２              上面
３              下面
４              方形フレーム
４ａ            上辺
４ｂ            下辺
５              薄型ディスプレイユニット
６              ガラス板
８              高さ調整脚
１８            スリット
１９            クッション材
２２            棒状受アングル
２２ｂ          水平板部
２２ｃ          上向板部
２３            棒状部材
２５，２６      棒状係合アングル
２５ｂ，２６ｂ  水平板部
２５ｃ，２６ｃ  下向係合板部
Ｌ              垂直線
【図１】
2014153489.tif 000003
【図２】
2014153489.tif 000004
【図３】
2014153489.tif 000005
【図４】
2014153489.tif 000006
【図５】
2014153489.tif 000007
【図６】
2014153489.tif 000008
【図７】
2014153489.tif 000009
【図８】
2014153489.tif 000010
【図９】
2014153489.tif 000011
【図１０】
2014153489.tif 000012
【図１１】
2014153489.tif 000013